(57)【要約】【課題】開放時に生じる力を分散し、破損を防止できるとともに、製品毎に同等の開放位置を確保する。【解決手段】開口部１８を有する本体１２と、該本体１２に回転可能に取り付けられて前記開口部１８を開閉可能に閉塞する蓋体３６とを備え、前記本体１２のヒンジ接続部２６と蓋体３６の接続部５５とを回転可能に接続した家庭用電気製品（炊飯器１０）において、前記ヒンジ接続部２６またはヒンジ接続部２６の近傍に、前記蓋体３６を横向きに受ける第１ストッパ部３０と、前記蓋体３６を縦向きに受ける第２ストッパ部３１とを設けた構成としている。【選択図】図１
2008023177.tif 000002
【特許請求の範囲】
【請求項１】
開口部を有する機器本体と、該機器本体に回転可能に取り付けられて前記開口部を開閉可能に閉塞する蓋体とを備え、前記機器本体のヒンジ接続部と蓋体の接続部とを回転可能に接続した家庭用電気製品において、
前記ヒンジ接続部またはヒンジ接続部の近傍に、前記蓋体を横向きに受ける第１ストッパ部と、前記蓋体を縦向きに受ける第２ストッパ部とを設けたことを特徴とする家庭用電気製品。
【請求項２】
前記ヒンジ接続部は、ヒンジピンを貫通させる両側の軸受部と、これら軸受部の後側に位置するカバー部とを備え、
前記第１ストッパ部は、軸受部において縦方向に延びる前端縁であり、前記第２ストッパ部は、前記カバー部の横方向に延びる先端縁であることを特徴とする家庭用電気製品。
【請求項３】
前記第２ストッパ部を、前記蓋体が第１ストッパ部に当接した後に、当接するように設けたことを特徴とする請求項１または請求項２に記載の家庭用電気製品。
【請求項４】
前記第２ストッパ部を、ヒンジピンの軸芯から縦方向に離れた位置に設けたことを特徴とする請求項１乃至請求項３のいずれか１項に記載の家庭用電気製品。
【請求項５】
前記蓋体の外周壁に、第２ストッパ部に当接する当接部を縦方向に延びるように設けたことを特徴とする請求項１乃至請求項４のいずれか１項に記載の家庭用電気製品。
【請求項６】
前記当接部を、前記ヒンジピンの中央から軸芯と直交する向きに延びる中心線に対して対称位置に設けたことを特徴とする請求項５に記載の家庭用電気製品。
【請求項７】
前記ヒンジ接続部を、前記機器本体の外装体に一体に設けたことを特徴とする請求項１乃至請求項６のいずれか１項に記載の家庭用電気製品。
【発明の詳細な説明】
【技術分野】
【０００１】
本発明は、炊飯器や電気ポットなどの家庭用電気製品に関するものである。
【背景技術】
【０００２】
本発明の家庭用電気製品に関連する先行技術文献情報としては次のものがある。
【０００３】
【特許文献１】特開２００１−１７８６２３号公報
【０００４】
この特許文献には、炊飯器本体に回動可能に取り付けられ、ヒンジスプリングによって常に開き方向に付勢された蓋体を有する炊飯器において、蓋体を開放操作した際に、蓋体が必要以上に開放されて、外装体を構成する部品が破損したり、ヒンジ接続部内を通した配線が破断することを防止できるようにした構成が記載されている。
【０００５】
具体的には、ヒンジ接続部を覆うカバーに段部を設け、この段部の水平方向に延びる上面を、蓋体の上カバーの後端縁が垂直方向に当接するストッパ部としている。また、この特許文献の従来技術の欄には、ヒンジ接続部の前部に蓋体の下カバーの後端縁が水平方向に当接するストッパ部を設けた構成が記載されている。
【０００６】
しかしながら、この特許文献における蓋体の停止構造において、蓋体の一部を垂直方向に受けるストッパ部で停止させる場合、部品の組立精度のバラツキにより、蓋体の開放可能な角度が製品毎に異なるという問題がある。また、蓋体の一部を水平方向に受けるストッパ部で停止させる場合、蓋体またはヒンジ接続部の構成部分の肉厚である面で力を受けることになるため、外装体を構成する部品が破損するという問題がある。
【発明の開示】
【発明が解決しようとする課題】
【０００７】
本発明は、従来の問題に鑑みてなされたもので、開放時に生じる力を分散し、破損を防止できるとともに、製品毎に同等の開放位置を確保可能な家庭用電気製品を提供することを課題とするものである。
【課題を解決するための手段】
【０００８】
前記課題を解決するため、本発明の家庭用電気製品は、開口部を有する機器本体と、該機器本体に回転可能に取り付けられて前記開口部を開閉可能に閉塞する蓋体とを備え、前記機器本体のヒンジ接続部と蓋体の接続部とを回転可能に接続した家庭用電気製品において、前記ヒンジ接続部またはヒンジ接続部の近傍に、前記蓋体を横向きに受ける第１ストッパ部と、前記蓋体を縦向きに受ける第２ストッパ部とを設けた構成としている。
【０００９】
本発明の家庭用電気製品では、蓋体を横向きに受ける第１ストッパ部と、蓋体を縦向きに受ける第２ストッパ部とを設けているため、蓋体の開放時に生じる力を各ストッパ部で分散できる。そのため、構成部品の破損を防止できるうえ、蓋体を横向きに受ける第１ストッパ部により、蓋体の開放位置を正確に位置決めできる。
【００１０】
具体的には、前記ヒンジ接続部は、ヒンジピンを貫通させる両側の軸受部と、これら軸受部の後側に位置するカバー部とを備え、前記第１ストッパ部は、軸受部において縦方向に延びる前端縁であり、前記第２ストッパ部は、前記カバー部の横方向に延びる先端縁であることが好ましい。このようにすれば、各ストッパ部の面積を十分に確保できる。また、この構成は、平面視円形状など、外形が曲線状をなす蓋体の場合に、最も大きな当接面積を確保できるため、有効である。
【００１１】
また、前記第２ストッパ部を、前記蓋体が第１ストッパ部に当接した後に、当接するように設けることが好ましい。このようにすれば、各製品毎の開放位置を確実に一致させることができ、更にヒンジ接続部の強度を向上することができる。
【００１２】
さらに、前記第２ストッパ部を、ヒンジピンの軸芯から縦方向に離れた位置に設けることが好ましい。このようにすれば、第２ストッパ部で受ける力を軽減させることができる。
【００１３】
また、前記蓋体の外周壁に、第２ストッパ部に当接する当接部を縦方向に延びるように設けることが好ましい。
この場合、前記当接部を、前記ヒンジピンの中央から軸芯と直交する向きに延びる中心線に対して対称位置に設けることが好ましい。
このようにすれば、湾曲した形状をなす蓋体に対して複数の当接部を設けることにより、希望に応じて第２ストッパ部での接触面積を増大できる。
【００１４】
さらに、前記ヒンジ接続部を、前記機器本体の外装体に一体に設けることが好ましい。このようにすれば、ヒンジ接続部の強度を向上することができるうえ、組付誤差に伴う蓋体の開放角度の誤差を低減できる。
【発明の効果】
【００１５】
本発明の家庭用電気製品では、蓋体を横向きに受ける第１ストッパ部と、蓋体を縦向きに受ける第２ストッパ部とを設け、蓋体の開放時に生じる力を各ストッパ部で分散できるようにしているため、構成部品の破損を防止できるうえ、蓋体の開放位置を正確に位置決めできる。
【発明を実施するための最良の形態】
【００１６】
以下、本発明の実施の形態を図面に従って説明する。
【００１７】
図１および図２は、本発明の実施形態に係る家庭用電気製品である炊飯器１０を示す。この炊飯器１０は、炊飯鍋１１を着脱可能に収容する炊飯器本体１２と、該炊飯器本体１２の上端開口を閉塞する蓋体３６とを備えたものである。
【００１８】
前記炊飯器本体１２は、図２に示すように、鏡面仕上げを施した金属（ステンレス）製の筒体からなる胴体１３と、胴体１３の底に配設した底体１５と、胴体１３の上端開口に配設した円環状の肩体１７とを有する外装体を備えている。
【００１９】
前記胴体１３は、金属板を絞り加工により下部の直径を徐々に小さくした略円筒形状のものである。この胴体１３の上端縁には、肩体１７を固定するために、水平方向外向きに突出するフランジ部１４が設けられている。
【００２０】
前記底体１５は、胴体１３の下部に配設される受皿形状をなす難燃性および非導電性を有する樹脂製のもので、その底には略球状に突出する脚部１６が周方向に等間隔で設けられている。
【００２１】
前記肩体１７は、図３および図４に示すように、胴体１３のフランジ部１４にネジ止めにより固定される樹脂製のものである。この肩体１７は、その中央に炊飯鍋１１を着脱可能に装着するための開口部１８が設けられている。また、肩体１７の正面側には、蓋体３６を開放不可能にロックするためのロック爪部１９が設けられている。この肩体１７は胴体１３より外方に突出するように形成され、その突出部分正面側に操作パネル部２０が設けられている。この操作パネル部２０は、肩体１７に設けた孔に別体の操作部材２１ａ〜２１ｅを配設するとともに、これら操作部材２１ａ〜２１ｅの背部（内部）にスペーサセット２２が配設され、このスペーサセット２２の背部にスイッチを実装したスイッチ基板２３が配設されている。
【００２２】
また、肩体１７の背面側には、ヒンジピン２４により後述する蓋体３６を開閉可能に軸着し、一対のヒンジスプリング２５，２５により蓋体３６を開放方向に付勢するヒンジ接続部２６が一体に設けられている。このヒンジ接続部２６は、両側の軸受部２７と、これら軸受部２７の後側に位置するカバー部２８と、軸受部２７の前側に位置する前壁部２９とを備えた平面視略長方形状の枠体からなる。前記軸受部２７の前端縁は、縦方向である垂直方向に延びる直線縁からなり、その上部が後述する蓋体３６の開放時に該蓋体３６を横方向である水平方向に受ける第１ストッパ部３０を構成する。前記カバー部２８の先端縁は、略水平方向に延びる若干上向きに湾曲した円弧縁からなり、その一部が蓋体３６の開放時に該蓋体３６を垂直方向に受ける第２ストッパ部３１を構成する。具体的には、カバー部２８は、蓋体３６を垂直上方から受け止めることによる下向きの負荷に対抗するための垂直壁部２８ａと、この垂直壁部２８ａに加わる負荷を分散させるとともに外観の装飾性を具備させる湾曲壁部２８ｂとを備えた略逆Ｖ字形状のものである。これら壁部２８ａ，２８ｂの交差部分からなる第２ストッパ部３１は、第１ストッパ部３０に蓋体３６の第１当接部５７が当接した後に、蓋体３６の第２当接部５８が当接するように設定されている。また、第２ストッパ部３１を構成するカバー部２８の上端縁は、外観を損なわない程度でできる限り上向きに湾曲（突出）した縁として構成することにより、ヒンジピン２４の軸芯から垂直方向に離れた位置で蓋体３６に当接するように構成している。
【００２３】
さらに、本実施形態のヒンジ接続部２６には、前壁部２９の上端中央からカバー部２８の中間部分にかけて延び、ヒンジスプリング２５による蓋体３６の開放を制動する弾性部３２が設けられている。この弾性部３２は、前壁部２９から上向きに延びて蓋体３６に当接する弾性当接部３３と、この弾性当接部３３から下向きに湾曲した略Ｌ字形状の弾性支持部３４とを有する。
【００２４】
図１に示すように、前記胴体１３、底体１５および肩体１７からなる炊飯器本体１２の外装体の内部には、肩体１７の開口部１８から下向きに延びる内胴３５が配設され、この内胴３５の底に加熱ヒータを配設した略椀状の加熱板（図示せず）が配設されるとともに、該加熱板の中央に炊飯鍋１１の温度を検出する温度センサ（図示せず）が貫通するように配設されている。
【００２５】
前記蓋体３６は、炊飯器本体１２に対して背面側のヒンジ接続部２６で開閉可能に軸着され、炊飯器本体１２の開口部１８、具体的には、内部に装着した炊飯鍋１１の開口縁を密閉状態に閉塞する平面視円形状のもので、第１蓋部材３７と、該第１蓋部材３７の上側に配設される第２蓋部材５９と、該第２蓋部材５９の上側表面に配設される装飾カバー６８とを備えている。
【００２６】
前記第１蓋部材３７は、図３から図５に示すように、肩体１７の開口部１８を含む上端の凹部を覆う平面視円形状をなす樹脂製のものである。この第１蓋部材３７は、上向きに隆起した形状をなし、その隆起面３８の下端縁から外向きに突出した外周縁部３９は、後述する装飾カバー６８より僅かに小さい円形状に形成され、外から目視できないように構成されている。この第１蓋部材３７の上面には、後述する第２蓋部材５９の下面に当接する補強リブ４０が平面視で格子状をなすように突設されている。また、第１蓋部材３７には、ネジ挿通孔４１が設けられるとともに、下部には内蓋取付部４２が設けられている。なお、この内蓋取付部４２に取り付ける内蓋４３は、図１に示すように、金属製の内蓋本体４４の外周部に炊飯鍋１１の開口縁をシールするシール部材４５を配設するとともに、後述する第２蓋部材５９の排気部６３に進入される排気部材４６を配設したものである。
【００２７】
そして、この第１蓋部材３７の正面側の隆起面３８には、蓋体３６を開放操作するための操作釦４７を回動可能に受ける軸受部４８が設けられている。この軸受部４８の下側には、操作釦４７のロック部４７ａを貫通させる貫通孔４９が設けられている。また、軸受部４８の背面側には、補強リブ４０が設けられていない矩形状の空間からなる操作釦配設部５０が設けられている。さらに、この操作釦配設部５０の背部には、キックバネ５１を収容する凹部５２が設けられている。
【００２８】
また、この第１蓋部材３７の背面側には、第２蓋部材５９の排気部６３に接続する排気筒部５３が設けられるとともに、その背部にヒンジ接続部２６に開閉可能に取り付けるための接続部５５，５５が設けられている。排気筒部５３には、一対のヒンジスプリング２５の付勢端部を引っ掛ける係止部５４が両側に延びるように設けられている。なお、ヒンジスプリング２５の他の付勢端部は、ヒンジ接続部２６の垂直壁部２８ａに係止される。前記接続部５５，５５は、肩体１７のヒンジ接続部２６において軸受部２７の外側に位置されるように、隆起面３８から外向きに一体的に突出された一対の板からなる。この接続部５５，５５の外側には、下端縁から外周縁部３９にかけて延びる補強板部５６が設けられ、この補強板部５６上に後述する第２蓋部材５９の係止部が設けられている。また、接続部５５，５５の内側には、前記隆起面３８の外周縁にかけて延び、蓋体３６の開放時にヒンジ接続部２６の第１ストッパ部３０に対して水平方向に当接する第１当接部５７が設けられている。さらに、これら接続部５５，５５の間に位置する第１蓋部材３７の外周壁である隆起面３８には、下端近傍から略垂直方向に延びる縁を有するリブ状をなす一対の第２当接部５８，５８が一体に設けられている。これら第２当接部５８，５８は、接続部５５の軸孔５５ａ，５５ａ間に貫通されるヒンジピン２４の中央から軸芯と直交する正面向きに延びる中心線に対して対称位置に設けられている。この第２当接部５８，５８は、前述のように、第１当接部５７が第１ストッパ部３０に当接した後に、第２ストッパ部３１に対して垂直方向に当接するように、その背面側への突出量Ｔを設定している。
【００２９】
前記第２蓋部材５９は、第１蓋部材３７の外（上）側にネジ止めにより固定される樹脂製のものであり、図５に示すように、上向きに湾曲した円板状をなし、第１蓋部材３７のネジ挿通孔４１との対応位置には、ネジを締め付ける筒状のネジ止め部６０が設けられている。この第２蓋部材５９の上面には、同心円からなる複数の環状リブ６１と、これら環状リブ６１の中心から放射状に延びる放射状リブ６２とが設けられている。また、第２蓋部材５９の背面側には、肩体１７のヒンジ接続部２６および第１蓋部材３７の排気筒部５３および接続部５５を覆うように扇型形状とした排気部６３が設けられている。さらに、第２蓋部材５９の側面には、垂直下向きに延びる側壁部６４が設けられ、この側壁部６４に下向きに湾曲するように突出する弾性係止片６５が設けられている。なお、第２蓋部材５９の正面側外周縁は、弾性は殆ど具備しない幅広の係止片６６を構成する。また、第２蓋部材５９の正面側中央には、第１蓋部材３７の軸受部４８に配設した操作釦４７を露出させるための露出部６７が設けられている。
【００３０】
前記装飾カバー６８は、胴体１３と同様に鏡面仕上げを施した金属（ステンレス）製のもので、第２蓋部材５９の排気部６３および露出部中の操作釦４７を除く蓋体３６の全面を覆う形状のものである。この装飾カバー６８は、上向きに湾曲する平面視円形状のもので、第２蓋部材５９の排気部６３と対応する位置には扇形状の切欠部６９が設けられるとともに、露出部と対応する位置には露出孔７０が設けられている。また、切欠部６９において最も中心に近い内端である頂部、および、露出孔７０において最も中心に近い内端には、折返部の先端から更に下向きに突出する係合爪７１が設けられている。そして、切欠部６９を除く外周縁には、径方向内側に向けて水平方向に突出するフランジ部７２が設けられている。
【００３１】
本実施形態では、蓋体３６が炊飯器本体１２に対して略水平方向に延びる閉じ状態から、ヒンジ接続部２６を中心として略６０度開いた状態で、蓋体３６の隆起面３８が弾性当接部３３に当接し、ヒンジスプリング２５による開放速度を制動する。そして、略９０度まで開いた状態で、蓋体３６の第１当接部５７が肩体１７の第１ストッパ部３０に当接する。この状態から、蓋体３６を背面側に向けて更に略５度傾けると、第２ストッパ部３１に当接するように構成している。
【００３２】
前記構成の炊飯器１０は、ユーザがキックバネ５１の付勢力に抗して操作釦４７を下向きに操作すると、ロック部４７ａと肩体１７のロック爪部１９とのロックが解除される。そうすると、蓋体３６は、ヒンジスプリング２５，２５の付勢力によって第１蓋部材３７に設けた係止部５４が上向きに押し上げられて開放する。
【００３３】
そして、蓋体３６の開放が進むと、弾性部３２が第１蓋部材３７の隆起面３８に当接することにより、その開放速度（力）が制動される。その後、図６および図７に示すように、第１蓋部材３７の第１当接部５７が肩体１７の第１ストッパ部３０に対して水平（横）方向に力を受けるように当接することにより、蓋体３６が略垂直方向に延びるように開放した状態になる。
【００３４】
この開放状態は、蓋体３６を横向きに受ける第１ストッパ部３０により、蓋体３６の開放位置を正確に位置決めできる。また、この状態で、ユーザが蓋体３６を更に開放される方向に力を加えた場合には、更に第１蓋部材３７の第２当接部５８が肩体１７の第２ストッパ部３１に対して垂直（縦）方向に力を受けるように当接する。そのため、蓋体３６の開放により生じる力を各ストッパ部３０，３１で分散できる。また、第１ストッパ部３０はヒンジ接続部２６において垂直方向に延びる軸受部２７であるとともに、第２ストッパ部３１はカバー部２８の上端縁であるため、平面視円形状とした蓋体３６との接触面積を十分に確保できる。その結果、構成部品である肩体１７および第１蓋部材３７の破損を確実に防止できる。
【００３５】
ここで、本実施形態の炊飯器１０を含む近年の家庭用電気製品は、小型化を図ることが前提であるため、第１当接部５７の面積を大きくすることはできない。しかし、本実施形態では、軸受部２７の縦方向に延びる前端縁を第１ストッパ部３０としているため、前述のように面積が小さい第１当接部５７との当接面積も十分に確保することができる。そして、このような構成は、本実施形態のように、外形が曲線状をなす平面視円形状の蓋体３６の場合に、最も大きな当接面積を確保できるため、有効である。
【００３６】
また、本実施形態では、蓋体３６は、第１ストッパ部３０に当接した後に第２ストッパ部３１に当接するように構成している。そのため、製品毎の開放位置を確実に一致させることができるうえ、更にヒンジ接続部の強度を向上することができる。しかも、ヒンジ接続部２６は、前記炊飯器本体１２の外装体を構成する肩体１７に一体に設けているため、ヒンジ接続部２６の強度を向上することができるうえ、組付誤差に伴う蓋体３６の開放角度の誤差を低減できる。
【００３７】
さらに、第２ストッパ部３１を、ヒンジピン２４の軸芯から縦方向に離れた位置に設けているため、第２ストッパ部３１で受ける力を軽減できる。しかも、垂直方向に延びるカバー部２８の垂直壁部２８ａは、蓋体３６からの負荷を垂直方向に受けるため、その抗力は強く、破損を確実に防止できる。さらに、第２ストッパ部３１に当接する第２当接部５８は、第１蓋部材の隆起面３８に対して垂直方向に延びるように設けられ、更に対称位置に設けているため、外周縁が湾曲した形状をなす蓋体３６に対して希望数の第２当接部５８を設けることにより、垂直方向に受ける第２ストッパ部３１の接触面積を希望に応じて増大できるため、確実に肩体１７または第１蓋部材３７の破損を防止できる。
【００３８】
なお、本発明の家庭用電気製品は、前記実施形態の構成に限定されるものではなく、種々の変更が可能である。
【００３９】
例えば、蓋体３６を水平方向に受ける第１ストッパ部３０および垂直方向に受ける第２ストッパ部３１は、それぞれヒンジ接続部２６の一部を兼用するように設けたが、ヒンジ接続部２６の近傍に専用のストッパ部を設けてもよい。
【００４０】
また、本発明では、上端開口の炊飯器本体１２と蓋体３６との関係および構成を明確にするために、垂直方向を縦方向とし、水平方向を横方向と規定したが、水平方向の幅を縦方向、水平方向の奥行きを横方向としてもよく、その方向性は希望に応じて変更が可能である。
【００４１】
また、前記実施形態では、本発明の特徴である蓋体３６のヒンジ接続構造を炊飯器１０に適用したが、電気ポットにも適用可能である。言い換えれば、本発明は炊飯器１０に限られず、開口部を有する機器本体と、該機器本体に回転可能に取り付けられる蓋体とを備えた家庭用電気製品であれば、いずれにも適用可能であり、同様の作用および効果を得ることができる。
【図面の簡単な説明】
【００４２】
【図１】本発明の実施形態に係る家庭用電気製品である炊飯器を示す要部断面図である。
【図２】図１の炊飯器を示す斜視図である。
【図３】肩体と第１蓋部材との関係を示す平面図である。
【図４】肩体と第１蓋部材とを示す分解斜視図である。
【図５】蓋体の分解斜視図である。
【図６】開放状態の蓋体と肩体とを示す断面図である。
【図７】開放状態の蓋体と肩体とを示す背面図である。
【符号の説明】
【００４３】
１０…炊飯器（家庭用電気製品）
１２…炊飯器本体
１３…胴体
１５…底体
１７…肩体
１８…開口部
２４…ヒンジピン
２５…ヒンジスプリング
２６…ヒンジ接続部
２７…軸受部
２８…カバー部
２９…前壁部
３０…第１ストッパ部
３１…第２ストッパ部
３２…弾性部
３６…蓋体
３７…第１蓋部材
３８…隆起面
４７…操作釦
５５…接続部
５７…第１当接部
５８…第２当接部
５９…第２蓋部材
６８…装飾カバー
【図１】
2008023177.tif 000003
【図２】
2008023177.tif 000004
【図３】
2008023177.tif 000005
【図４】
2008023177.tif 000006
【図５】
2008023177.tif 000007
【図６】
2008023177.tif 000008
【図７】
2008023177.tif 000009